(57)【要約】【課題】ユーザの負担を軽減させ作業性を向上させる。【解決手段】選択的に取り付け可能な光学素子を有する顕微鏡システムであって、ＴＶアダプタレンズ２０に設置され当該ＴＶアダプタレンズ２０の情報が記憶されたＩＣタグ３３ａと、中間鏡筒１２に設置され当該中間鏡筒１２の情報が記憶されたＩＣタグ３３ｂと、ＩＣタグから情報を読出す送受信装置３４と、送受信装置３４によりＩＣタグ３３ａおよび３３ｂから読み出されたＴＶアダプタレンズ２０の情報と中間鏡筒１２の情報を表示するＰＣ３２の表示部などを有する。【選択図】図１
2007156431.tif 000002
【特許請求の範囲】
【請求項１】
選択的に取り付け可能な光学素子を有する顕微鏡システムであって、
前記光学素子に設けられた、外部から非接触で情報の読出しが可能な第１の非接触式記憶媒体と、
前記第１の非接触式記憶媒体から非接触で情報を読出す第１の読出手段と、
を有し、
前記第１の非接触式記憶媒体には前記光学素子に関する情報が記憶されている、
ことを特徴とする顕微鏡システム。
【請求項２】
前記第１の読出手段により読出された情報を表示する表示手段を更に有し、
前記表示手段は、前記第１の読出手段により読出された前記光学素子に関する情報を表示する、
ことを特徴とする請求項１記載の顕微鏡システム。
【請求項３】
像を撮像する撮像手段と、
撮像時の設定情報を含む撮影情報を取得する撮影情報取得手段と、
を更に有し、
前記表示手段は、前記撮像手段により撮像された画像と、前記第１の読出手段により読出された撮像時の前記光学素子に関する情報と、前記撮影情報取得手段により取得された撮影情報とを表示する、
ことを特徴とする請求項２記載の顕微鏡システム。
【請求項４】
前記撮像手段により撮像された画像に、前記第１の読出手段により読出された撮像時の前記光学素子に関する情報と、前記撮影情報取得手段により取得された撮影情報とを付加して記録する記録手段、
を更に有することを特徴とする請求項３記載の顕微鏡システム。
【請求項５】
前記記録手段により記録された、前記画像に付加された前記光学素子に関する情報と前記撮影情報とに基づいて、前記画像が撮像された時の設定と同一の設定を行うために必要な処理を行う処理手段と、
を更に有することを特徴とする請求項４記載の顕微鏡システム。
【請求項６】
総使用時間が所定時間経過すると交換を要するユニットに設けられた、外部から非接触で情報の読出しおよび書込みが可能な第２の非接触式記憶媒体と、
前記第２の非接触式記憶媒体に対し情報の読出しおよび書込みを行う読書手段と、
を更に有し、
前記読書手段は、前記第２の非接触式記憶媒体に対し前記ユニットの総使用時間の読出しおよび書込みを行い、
前記表示手段は、前記読書手段により読出された前記ユニットの総使用時間を表示する、
ことを特徴とする請求項１記載の顕微鏡システム。
【請求項７】
前記ユニットは、光源として使用されるランプである、
ことを特徴とする請求項６記載の顕微鏡システム。
【請求項８】
前記第１の非接触式記憶媒体に非接触で情報を書込む書込手段を更に有し、
前記書込手段は、当該顕微鏡システム固有のグループ情報を前記第１の非接触式記憶媒体に書込む、
ことを特徴とする請求項１記載の顕微鏡システム。
【請求項９】
前記第１の読出手段は、前記第１の非接触式記憶媒体から前記光学素子に関する情報と共に前記グループ情報を読出す、
ことを特徴とする請求項８記載の顕微鏡システム。
【請求項１０】
前記第１の読出手段により前記光学素子に関する情報と共に読み出された前記グループ情報が当該顕微鏡システム固有のグループ情報と一致するか否かを判定する判定手段を更に有し、
前記判定手段により一致しないと判定された場合に、前記グループ情報と共に前記第１の読出手段により読出された前記光学素子に関する情報を使用しない、
ことを特徴とする請求項９記載の顕微鏡システム。
【請求項１１】
前記第１の非接触式記憶媒体に当該顕微鏡システム固有のグループ情報を非接触で書込む書込手段と、
前記第１の読出手段により前記光学素子に関する情報と共に読み出された前記グループ情報が当該顕微鏡システム固有のグループ情報と一致するか否かを判定する判定手段と、
を更に有し、
前記判定手段により一致しないと判定された場合に、前記グループ情報と共に前記第１の読出手段により読出された前記光学素子に関する情報を使用しない、
ことを特徴とする請求項１記載の顕微鏡システム。
【請求項１２】
前記第１の非接触式記憶媒体には更に前記光学素子固有の情報が記憶されている、
ことを特徴とする請求項１記載の顕微鏡システム。
【請求項１３】
前記第１の非接触式記憶媒体から非接触で情報を読出す第２の読出手段を更に有し、
前記第２の読出手段は、前記第１の非接触式記憶媒体から前記光学素子固有の情報を読出す、
ことを特徴とする請求項１２記載の顕微鏡システム。
【請求項１４】
前記第２の読出手段により読出された前記光学素子固有の情報を登録する登録手段を更に有する、
ことを特徴とする請求項１３記載の顕微鏡システム。
【請求項１５】
前記第１の読出手段は、前記第１の非接触式記憶媒体から前記光学素子に関する情報と共に前記光学素子固有の情報を読出す、
ことを特徴とする請求項１４記載の顕微鏡システム。
【請求項１６】
前記第１の読出手段により前記光学素子に関する情報と共に読み出された前記光学素子固有の情報が、前記登録手段により登録されているか否かを判定する判定手段を更に有し、
前記判定手段により登録されていない判定された場合に、前記光学素子固有の情報と共に前記第１の読出手段により読出された前記光学素子に関する情報を使用しない、
ことを特徴とする請求項１５記載の顕微鏡システム。
【請求項１７】
前記第１の非接触式記憶媒体には更に前記光学素子固有の情報が記憶されており、
前記第１の非接触式記憶媒体から前記光学素子固有の情報を非接触で読出す第２の読出手段と、
前記第２の読出手段により読出された前記光学素子固有の情報を登録する登録手段と、
前記第１の読出手段により前記光学素子に関する情報と共に読み出された前記光学素子固有の情報が、前記登録手段により登録されているか否かを判定する判定手段と、
を更に有し、
前記判定手段により登録されていない判定された場合に、前記光学素子固有の情報と共に前記第１の読出手段により読出された前記光学素子に関する情報を使用しない、
ことを特徴とする請求項１記載の顕微鏡システム。
【請求項１８】
前記第１の読出手段は、遠距離用の読出手段であり、
前記第２の読出手段は、近距離用の読出手段である、
ことを特徴とする請求項１３乃至１７の何れか一項記載の顕微鏡システム。
【請求項１９】
前記光学素子を複数備えた光学素子ユニットと、
前記光学素子ユニットに設けられた、外部から非接触で情報の読出しが可能な第２の非接触式記憶媒体と、
前記第２の非接触式記憶媒体から非接触で情報を読出す第２の読出手段と、
を更に有し、
前記第１の読出手段は、前記光学素子ユニットに備えられた複数の前記光学素子のうち使用中の光学素子に設けられた前記第１の非接触式記憶媒体のみから前記光学素子に関する情報を読出し、
前記第２の非接触式記憶媒体には、前記第１の読出手段により読出された前記光学素子に関する情報が記憶され、
前記第２の読出手段は、前記第２の非接触式記憶媒体から前記光学素子に関する情報を読出す、
ことを特徴とする請求項１記載の顕微鏡システム。
【請求項２０】
前記第１の非接触式記憶媒体は、近距離用の非接触式記憶媒体であり、
前記第１の読出手段は、近距離用の読出手段であり、
前記第２の非接触式記憶媒体は、遠距離用の非接触式記憶媒体であり、
前記第２の読出手段は、遠距離用の読出手段である、
ことを特徴とする請求項１９記載の顕微鏡システム。
【発明の詳細な説明】
【技術分野】
【０００１】
本発明は、顕微鏡システムに関し、特に、光学素子等の手動ユニットを選択的に取り付け可能な顕微鏡システムに関する。
【背景技術】
【０００２】
これまでの電動顕微鏡システムでは、コントロールユニットが全ての電動ユニットの起動速度、加減速、動作ストローク、及び動作タイミングなどの動作に必要な情報（以下、「動作情報」という)を記憶し制御を行っている。コントロールユニットは、ケーブルを介して接続されている電動ユニットの種類を認識する。電動ユニットは、コントロールユニットに予め記憶されている動作情報に従って制御される。
【０００３】
近年の電動顕微鏡システムでは、ユーザーが自由に交換可能な光学素子の装填部も電動化されており、ユーザーは操作１つで自分が設定した光路に所望の光学素子を指示することや動作を指示することができる。しかし、初期設定時のみは、ユーザーが自らコントロールユニットに光学素子構成の入力や設定を行わなければならないという問題がある。つまり、電源投入時において、電動ユニットの制御はできるものの光学素子の構成を認識することはできていない。
【０００４】
そこで、この問題を解決するために、非接触で情報の読み書きが可能な記憶媒体（以下、「非接触式記憶媒体」という）を用いた顕微鏡システムの構想がある。
例えば、特許文献１には、対物レンズに対応して当該対物レンズの情報が記憶された非接触式記憶媒体を設けることにより、対物レンズの情報をユーザーが自ら入力することなく電源投入時に認識可能とした顕微鏡システムが開示されている。
【０００５】
また、特許文献２には、光学素子に対応して当該光学素子の情報が記憶された非接触式記憶媒体を設けることにより、光学素子の情報をユーザーが自ら入力することなく電源投入時に認識可能とした顕微鏡システムが開示されている。
【０００６】
これらの特許文献に開示されている顕微鏡システムでは、非接触式記憶媒体を設けることにより、電源投入時に、その時の光路及び設定がどのようになっているのかを認識可能となっている。
【０００７】
さらに、撮影における設定を、記憶媒体に記憶された情報を用いて行う顕微鏡システムの構想もある。
例えば、特許文献３には、記憶媒体から撮影条件を読出し設定することが可能な顕微鏡システムが開示されている。記憶媒体から読み出す設定情報は、電動ユニットの情報である。記憶媒体には、これ以外にも標本の染色方法、光源の種類、及び撮影日時などの情報も記憶される。また、内部メモリーにも、ある程度の設定情報があり、これに近い設定条件を選択することによって、自動的に光路にユニットが設定されるようになっている。また、設定条件は修正することができ、ユーザー用にカスタマイズすることができる。
【特許文献１】特開２００２−１９６２５５号公報
【特許文献２】特開２００４−１４５３４３号公報
【特許文献３】特開平５−１４２４８１号公報
【発明の開示】
【発明が解決しようとする課題】
【０００８】
しかしながら、上記の特許文献に開示されている顕微鏡システムにおいて、非接触式記憶媒体および記憶媒体は、上記特許文献に開示されている光学素子や電動ユニットの情報を読出す役割に特化されている。ユーザーは、最終的に多数の光学素子及び撮影系を介して簡易かつ再現性の高い観察画像を得ることを望んでいる。そのためには、上記特許文献に開示されている光学素子や電動ユニットの情報だけでなく、他のユニット、例えば鏡筒やアダプタ等の手動ユニットの情報も必要不可欠である。
【０００９】
本発明は上記実情に鑑み、情報を必要とするユニットに対応して非接触式記憶媒体を設け、その非接触記憶媒体に必要に応じて情報の読み書きを行うことにより、ユーザの負担を軽減させ作業性を向上させることができる顕微鏡システムを提供することを目的とする。
【課題を解決するための手段】
【００１０】
上記目的を達成するため、本発明の第１の態様に係る顕微鏡システムは、選択的に取り付け可能な光学素子を有する顕微鏡システムであって、前記光学素子に設けられた、外部から非接触で情報の読出しが可能な第１の非接触式記憶媒体と、前記第１の非接触式記憶媒体から非接触で情報を読出す第１の読出手段と、を有し、前記第１の非接触式記憶媒体には前記光学素子に関する情報が記憶されている、ことを特徴とする。
【００１１】
本発明の第２の態様に係る顕微鏡システムは、上記第１の態様において、前記第１の読出手段により読出された情報を表示する表示手段を更に有し、前記表示手段は、前記第１の読出手段により読出された前記光学素子に関する情報を表示する、ことを特徴とする。
【００１２】
本発明の第３の態様に係る顕微鏡システムは、上記第２の態様において、像を撮像する撮像手段と、撮像時の設定情報を含む撮影情報を取得する撮影情報取得手段と、を更に有し、前記表示手段は、前記撮像手段により撮像された画像と、前記第１の読出手段により読出された撮像時の前記光学素子に関する情報と、前記撮影情報取得手段により取得された撮影情報とを表示する、ことを特徴とする。
【００１３】
本発明の第４の態様に係る顕微鏡システムは、上記第３の態様において、前記撮像手段により撮像された画像に、前記第１の読出手段により読出された撮像時の前記光学素子に関する情報と、前記撮影情報取得手段により取得された撮影情報とを付加して記録する記録手段、を更に有することを特徴とする。
【００１４】
本発明の第５の態様に係る顕微鏡システムは、上記第４の態様において、前記記録手段により記録された、前記画像に付加された前記光学素子に関する情報と前記撮影情報とに基づいて、前記画像が撮像された時の設定と同一の設定を行うために必要な処理を行う処理手段と、を更に有することを特徴とする。
【００１５】
本発明の第６の態様に係る顕微鏡システムは、上記第１の態様において、総使用時間が所定時間経過すると交換を要するユニットに設けられた、外部から非接触で情報の読出しおよび書込みが可能な第２の非接触式記憶媒体と、前記第２の非接触式記憶媒体に対し情報の読出しおよび書込みを行う読書手段と、を更に有し、前記読書手段は、前記第２の非接触式記憶媒体に対し前記ユニットの総使用時間の読出しおよび書込みを行い、前記表示手段は、前記読書手段により読出された前記ユニットの総使用時間を表示する、ことを特徴とする。
【００１６】
本発明の第７の態様に係る顕微鏡システムは、上記第６の態様において、前記ユニットは、光源として使用されるランプである、ことを特徴とする。
本発明の第８の態様に係る顕微鏡システムは、上記第１の態様において、前記第１の非接触式記憶媒体に非接触で情報を書込む書込手段を更に有し、前記書込手段は、当該顕微鏡システム固有のグループ情報を前記第１の非接触式記憶媒体に書込む、ことを特徴とする。
【００１７】
本発明の第９の態様に係る顕微鏡システムは、上記第８の態様において、前記第１の読出手段は、前記第１の非接触式記憶媒体から前記光学素子に関する情報と共に前記グループ情報を読出す、ことを特徴とする。
【００１８】
本発明の第１０の態様に係る顕微鏡システムは、上記第９の態様において、前記第１の読出手段により前記光学素子に関する情報と共に読み出された前記グループ情報が当該顕微鏡システム固有のグループ情報と一致するか否かを判定する判定手段を更に有し、前記判定手段により一致しないと判定された場合に、前記グループ情報と共に前記第１の読出手段により読出された前記光学素子に関する情報を使用しない、ことを特徴とする。
【００１９】
本発明の第１１の態様に係る顕微鏡システムは、上記第１の態様において、前記第１の非接触式記憶媒体に当該顕微鏡システム固有のグループ情報を非接触で書込む書込手段と、前記第１の読出手段により前記光学素子に関する情報と共に読み出された前記グループ情報が当該顕微鏡システム固有のグループ情報と一致するか否かを判定する判定手段と、を更に有し、前記判定手段により一致しないと判定された場合に、前記グループ情報と共に前記第１の読出手段により読出された前記光学素子に関する情報を使用しない、ことを特徴とする。
【００２０】
本発明の第１２の態様に係る顕微鏡システムは、上記第１の態様において、前記第１の非接触式記憶媒体には更に前記光学素子固有の情報が記憶されている、ことを特徴とする。
【００２１】
本発明の第１３の態様に係る顕微鏡システムは、上記第１２の態様において、前記第１の非接触式記憶媒体から非接触で情報を読出す第２の読出手段を更に有し、前記第２の読出手段は、前記第１の非接触式記憶媒体から前記光学素子固有の情報を読出す、ことを特徴とする。
【００２２】
本発明の第１４の態様に係る顕微鏡システムは、上記第１３の態様において、前記第２の読出手段により読出された前記光学素子固有の情報を登録する登録手段を更に有する、ことを特徴とする。
【００２３】
本発明の第１５の態様に係る顕微鏡システムは、上記第１４の態様において、前記第１の読出手段は、前記第１の非接触式記憶媒体から前記光学素子に関する情報と共に前記光学素子固有の情報を読出す、ことを特徴とする。
【００２４】
本発明の第１６の態様に係る顕微鏡システムは、上記第１５の態様において、前記第１の読出手段により前記光学素子に関する情報と共に読み出された前記光学素子固有の情報が、前記登録手段により登録されているか否かを判定する判定手段を更に有し、前記判定手段により登録されていない判定された場合に、前記光学素子固有の情報と共に前記第１の読出手段により読出された前記光学素子に関する情報を使用しない、ことを特徴とする。
【００２５】
本発明の第１７の態様に係る顕微鏡システムは、上記第１の態様において、前記第１の非接触式記憶媒体には更に前記光学素子固有の情報が記憶されており、前記第１の非接触式記憶媒体から前記光学素子固有の情報を非接触で読出す第２の読出手段と、前記第２の読出手段により読出された前記光学素子固有の情報を登録する登録手段と、前記第１の読出手段により前記光学素子に関する情報と共に読み出された前記光学素子固有の情報が、前記登録手段により登録されているか否かを判定する判定手段と、を更に有し、前記判定手段により登録されていない判定された場合に、前記光学素子固有の情報と共に前記第１の読出手段により読出された前記光学素子に関する情報を使用しない、ことを特徴とする。
【００２６】
本発明の第１８の態様に係る顕微鏡システムは、上記第１３乃至１７の何れか一つの態様において、前記第１の読出手段は、遠距離用の読出手段であり、前記第２の読出手段は、近距離用の読出手段である、ことを特徴とする。
【００２７】
本発明の第１９の態様に係る顕微鏡システムは、上記第１の態様において、前記光学素子を複数備えた光学素子ユニットと、前記光学素子ユニットに設けられた、外部から非接触で情報の読出しが可能な第２の非接触式記憶媒体と、前記第２の非接触式記憶媒体から非接触で情報を読出す第２の読出手段と、を更に有し、前記第１の読出手段は、前記光学素子ユニットに備えられた複数の前記光学素子のうち使用中の光学素子に設けられた前記第１の非接触式記憶媒体のみから前記光学素子に関する情報を読出し、前記第２の非接触式記憶媒体には、前記第１の読出手段により読出された前記光学素子に関する情報が記憶され、前記第２の読出手段は、前記第２の非接触式記憶媒体から前記光学素子に関する情報を読出す、ことを特徴とする。
【００２８】
本発明の第２０の態様に係る顕微鏡システムは、上記第１９の態様において、前記第１の非接触式記憶媒体は、近距離用の非接触式記憶媒体であり、前記第１の読出手段は、近距離用の読出手段であり、前記第２の非接触式記憶媒体は、遠距離用の非接触式記憶媒体であり、前記第２の読出手段は、遠距離用の読出手段である、ことを特徴とする。
【発明の効果】
【００２９】
本発明によれば、非接触式記憶媒体を用いることにより、手動ユニットの情報を自動的に認識することが可能となり、ユーザーが手動で行っていたユニット構成の入力や設定を自動で行うことができる。また、撮影画像に手動ユニットの情報を付加することにより、再現性の高い撮影画像を得ることが可能となる。さらに、非接触式記憶媒体を読出しおよび書込み可能にすることにより、何れで使用されても、それまでの情報を保持、更新することができ、ユーザーの手間、ミスを軽減し、作業効率を向上させることができる。
【発明を実施するための最良の形態】
【００３０】
以下、図面を参照しながら本発明の実施の形態を説明する。
【実施例１】
【００３１】
図１は、本発明の実施例１に係る顕微鏡システムの全体構成を示す図である。
なお、本実施例に係る顕微鏡システムは電動顕微鏡システムであって、詳しくは後述する無線ＩＣタグ（以下単に「ＩＣタグ」という）を設置した手動ユニットが装備されている。
【００３２】
まず、本実施例に係る顕微鏡システムの全体構成の概要を説明する。
図１において、本実施例に係る顕微鏡システムの光学系は、例えばハロゲンランプからなる透過照明用光源１からの光をコレクタレンズ２で集光して透過用フィルターユニット３へ入射する。
【００３３】
透過用フィルターユニット３は、透過照明用光源１の色温度を変えずに明るさの調光を行う複数枚のＮＤフィルターと、色補正を行うための複数枚の補正フィルターとからなり、任意のフィルターを照明光学系の光路中に選択的に挿脱可能になっている。
【００３４】
上記透過用フィルターユニット３を透過した照明光は、透過視野絞り４、透過開口絞り５、コンデンサ光学素子ユニット６、コンデンサトップレンズユニット７を介して試料ステージ８の下方から試料ステージ８上の観察試料Ｓを照明する。
【００３５】
なお、コンデンサ光学素子ユニット６は光路中に選択的に挿入される複数のユニット（本例では３つのユニット）からなり、コンデンサトップレンズユニット７は光路中に選択的に挿入される複数のユニット（本例では２つのユニット）からなる。また、試料ステージ８は、観察試料Ｓを光軸と直交する平面内で２次元移動できると共に、ピント合わせのため光軸方向へ移動可能になっている。透過開口絞り５、コンデンサ光学素子ユニット６、及びコンデンサトップレンズユニット７により、コンデンサ２２を構成している。
【００３６】
試料ステージ８の上方には、複数の対物レンズ（本例では３つの対物レンズ）がレボルバ１０に保持されている。レボルバ１０は、その回転により観察光路内の光軸上に挿入すべき対物レンズを交換可能に構成されている。レボルバ１０は、例えば顕微鏡のアーム先端部に取り付けられており、そのアーム先端部の観察光路上にキューブユニット１１が配設されている。キューブユニット１１は、各種検鏡法により選択的に光路上に挿入される複数のユニット（本例では３つのユニット）からなる。キューブユニット１１は、操作部３７およびＰＣ３２上で動作する顕微鏡用ソフトウェア（以下単に「ソフトウェア」という）上から選択することで光路に挿入可能となっている。キューブユニット１１を透過した光は、中間鏡筒１２に挿入される。中間鏡筒１２は、挿脱可能であり、挿入時には光路の分岐、変倍などの役割がある。尚、本実施例に係る中間鏡筒１２においては、光路に中間倍率１×の光学素子が固定で設定されているとする。中間鏡筒１２を透過した光は、ビームスプリッター１３で２方向に分岐し、その一方の観察光が接眼レンズ１４へ導かれ、他方の観察光が撮影用光路に導かれる。
【００３７】
また、水銀ランプ等からなる落射照明用光源１５からの光を、落射用フィルターユニット１６、落射シャッター１７、落射視野絞り１８、落射開口絞り１９を介して、キューブユニット１１の光路中に挿入されているユニットに入射し、観察試料Ｓ側へ反射させて落射照明する。
【００３８】
なお、落射用フィルターユニット１６は落射照明用光源１５の色温度を変えずに明るさの調光を行う複数枚のＮＤフィルターと、色補正を行うための複数枚の補正フィルターとから構成されている。
【００３９】
一方、ビームスプリッター１３で分岐された撮影用光路への観察光は、撮影用倍率を任意に調整するＴＶアダプタレンズ２０を介してデジタルカメラ２１に入射される。デジタルカメラ２１は、ケーブル３５を介して撮影コントロール部２５と接続され、また、撮影コントロール部２５はケーブルを介してＰＣ３２と接続され、撮影情報はＰＣ３２に保存可能となっている。
【００４０】
続いて、本実施例に係る顕微鏡システムの制御系の構成について説明する。
図１において、顕微鏡システム全体の動作を制御する操作装置２３には、複数の専用ケーブル２４を介して、フレームコントロール部２６、透過フィルターコントロール部２７、透過視野絞りコントロール部２８、コンデンサコントロール部２９、落射視野絞りコントロール部３０、落射フィルターコントロール部３１がそれぞれ接続されている。
【００４１】
フレームコントロール部２６は、透過照明用光源１、落射照明用光源１５、レボルバ１０、キューブユニット１１、落射シャッター１７を駆動制御するものである。
透過フィルターコントロール部２７は、透過用フィルターユニット３の駆動及び制御を行う。透過視野絞りコントロール部２８は、透過用視野絞り４の駆動及び制御を行う。
【００４２】
コンデンサコントロール部２９は、コンデンサ光学素子ユニット６、コンデンサトップレンズユニット７、透過用開口絞り５の駆動及び制御を行う。
落射視野絞りコントロール部３０は、落射視野絞り１８、落射開口絞り１９の駆動及び制御を行う。落射フィルターコントロール部３１は、落射用フィルターユニット１６の駆動及び制御を行う。
【００４３】
また、操作装置２３には、ＰＣ３２と操作部３７も接続されている。操作装置２３は、ＰＣ３２からの命令や操作部３７からの命令に応じて、各コントロール部の制御を行う。
ＰＣ３２には、撮影コントロール部２５が接続されている。撮影コントロール部２５は、ケーブル３５を介してデジタルカメラ２１と接続されており、デジタルカメラ２１の撮影条件、画像処理、撮影画像の取得、および撮影画像の保存などに係る制御を行う。
【００４４】
続いて、本実施例に係る顕微鏡システムの特徴である、手動ユニットの情報の読出し構成について説明する。
図１において、手動ユニットであるＴＶアダプタレンズ２０および中間鏡筒１２には、非接触式記憶媒体としてＩＣタグ３３ａおよび３３ｂが設置されている。なお、ＩＣタグは、内部にＩＣチップとアンテナ等を備えており、情報の保持と無線による外部との情報の送受が可能になっている。ただし、電力供給を非接触電力伝送技術を利用して行うため、電源は備えていない。
【００４５】
ＩＣタグ３３ａには、ＴＶアダプタレンズ２０の詳細情報として、その製品名、倍率、製造シリアルナンバーが保持されている。また、ＩＣタグ３３ｂには、中間鏡筒１２の詳細情報として、その製品名、倍率、製造シリアルナンバーが保持されている。
【００４６】
送受信装置３４は、非接触電力伝送技術によりＩＣタグと通信可能に構成されている。送受信装置３４は、電波を送信してＩＣタグを起動させ、ＩＣタグに保持されている情報を読み出す。なお、ＩＣタグは、送受信装置３４から送信される電波から微小電流を取り出し起動する。送受信装置３４は、操作装置２３に接続されており、その操作装置２３を介してＰＣ３２に接続されている。送受信装置３４がＩＣタグから読出した情報は、操作装置２３へ転送、保存され、ＰＣ３２上で動作するソフトウェアからの指示に応じてＰＣ３２に取り込まれる。
【００４７】
次に、本実施例に係る顕微鏡システムの制御系の構成をより詳細に説明する。
図２は、その制御系の構成をより詳細に示す図である。
同図において、操作装置２３は、本システムの電動制御を司るマイクロコンピュータ４１と、制御プログラムを格納するＲＯＭ４２と、制御プログラムの変数データを確保するＲＡＭ４３と、６個のモータドライバ４４（４４ａ、４４ｂ、４４ｃ、４４ｄ、４４ｅ、および４４ｆ）と、９個の外部インターフェースコネクタ４５（４５ａ、４５ｂ、４５ｃ、４５ｄ、４５ｅ、４５ｆ、４５ｇ、４５ｈ、および４５ｉ）とを備えている。
【００４８】
マイクロコンピュータ４１に接続されている各モータドライバ４４は、それぞれ対応する外部インターフェースコネクタ４５に接続され、そして、各外部インターフェースコネクタ４５は、それぞれ対応するケーブル２４を介して対応するコントロール部に接続されている。
【００４９】
マイクロコンピュータ４１は、各モータドライバ４４を介して、フレームコントロール部２６、透過フィルターコントロール部２７、透過視野絞りコントロール部２８、コンデンサコントロール部２９、落射視野絞りコントロール部３０、落射フィルターコントロール部３１内のモータを駆動させ、対応するユニットを電動制御することが可能となっている。
【００５０】
また、マイクロコンピュータ４１は、外部インターフェースコネクタ４５ｇを介して送受信装置３４と接続されており、送受信装置３４が読出したＩＣタグの情報を直接処理することが可能になっている。
【００５１】
なお、マイクロコンピュータ４１は、モータドライバ４４ａ乃至４４ｆの各々から、対応するコントロール部のモータ回転角を示すアドレスを取得してＲＡＭ４２に格納し、対応するユニットの現在位置を監視できるように構成されている。
【００５２】
マイクロコンピュータ４１に接続されている外部インターフェースコネクタ４５ｈおよび４５ｉは、ケーブル３６およびケーブル３８を介して、ＰＣ３２および操作部３７と接続されている。各電動制御の命令は、簡易的な命令が操作部３７から、高度な命令がＰＣ３２から発信され、マイクロコンピュータ４１は、これらの命令に応じて、対応する処理を行う。
【００５３】
続いて、操作装置２３のマイクロコンピュータ４１によって行われる、ＩＣタグの読出し処理を説明する。
図３は、その読出し処理に係るフローチャートを示す図である。
【００５４】
本処理は、操作装置２３の電源が投入され、これに接続されている送受信装置３４に電源が供給されているときに、開始する。
同図において、まず、Ｓ１では、操作部３７またはＰＣ３２上で動作するソフトウェアからの読出し指示を受け取る。
【００５５】
Ｓ２では、Ｓ１で受け取った読出し指示に応じて、送受信装置３４からＩＣタグへ電波を発信し、その電波を受信可能なＩＣタグに非接触にて電力を供給すると共に、そのＩＣタグにアクセスして設定情報を読み出す。
【００５６】
Ｓ３では、Ｓ２で読み出された設定情報（ＩＣタグの送信データ）を操作装置２３内のＲＡＭ４３に保存する。
なお、ＩＣタグが送受信装置３４から送信された電波を受信可能な位置に存在すれば、そのＩＣタグは、受信した電波より微小電流を取り出して起動し、応答を送受信装置３４に返す。この送受信装置３４への応答方式を、一般的に後方散乱方式という。
【００５７】
このようにして送受信装置３４から送信された電波を受信可能なＩＣタグの全てから読出された設定情報は、操作装置２３内のＲＡＭ４３に保存される。
Ｓ４では、Ｓ３でＲＡＭ４３に保存された設定情報を読出す。
【００５８】
Ｓ５では、Ｓ４で読み出された設定情報をＰＣ３２の表示部の表示画面の対応部分に表示（反映）する。そして、表示した設定情報をＲＡＭ４３から削除する。なお、Ｓ２にて、例えば本システムの周辺に存在する他の同一製品のユニットに設置されたＩＣタグに保持されている当該他の同一製品のユニットの設定情報も読み出されてしまったために、Ｓ４にて複数の同一製品のユニットの設定情報が読み出されてしまった場合には、一旦、その複数の設定情報を操作部３７が有する表示部の表示画面又はＰＣ３２の表示画面に表示してユーザに本システムに設けられているユニットの設定情報を選択させる。これにより、本システムに設けられているユニット以外の同一製品のユニットに設けられたＩＣタグから当該同一製品のユニットの設定情報が読み出されていたとしても、本システムに設けられているユニットの設定情報のみを選択することができる。そして、ここで選択された設定情報をＰＣ３２の表示画面の対応部分に表示し、表示した設定情報と、これと同一製品の設定情報とをＲＡＭ４３から削除する。
【００５９】
Ｓ６では、ＲＡＭ４３内に設定情報が残っていないか否か（ＲＡＭ４３内が空になったか否か）を判定する。ここで、その判定結果がＮＯの場合（ＲＡＭ４３内に設定情報が残っている場合）には、再度ＲＡＭ４３内の設定情報の読出しを行うためにＳ４へ戻る。一方、その判定結果がＹＥＳの場合（ＲＡＭ４３内に設定情報が残っていない場合）には、すべてのＩＣタグの設定情報を読出したことになるので、本フローの処理が終了する。
【００６０】
本実施例では、ＴＶアダプタレンズ２０および中間鏡筒１２に、ＩＣタグ３３ａおよび３３ｂが設けられているので、ＩＣタグ３３ａおよび３３ｂからＴＶアダプタレンズ２０および中間鏡筒１２の製品名、倍率、製造シリアルナンバーの設定情報が読み出され、ＰＣ３２の表示画面の対応部分にそれらが表示（反映）される。
【００６１】
次に、本実施例に係る顕微鏡システムにおいて、ＩＣタグ３３ａおよび３３ｂの設置例と、ＩＣタグ３３ａおよび３３ｂから読み出された設定情報の例を、図４(a),(b)を用いて説明する。
【００６２】
図４(a)は、ＩＣタグ３３ａおよび３３ｂが設置されたＴＶアダプタレンズ２０および中間鏡筒１２の概観図である。
同図(a) に示したように、ＴＶアダプタレンズ２０の設定情報が保持されているＩＣタグ３３ａは、ＴＶアダプタレンズ２０の後方に設置する。また、中間鏡筒１２の設定情報が保持されているＩＣタグ３３ｂは、不図示ではあるが、中間鏡筒１２内部に設置する。
【００６３】
送受信装置３４は、ビームスプリッター１３を内部に備える鏡筒の側面に設置するので、ＩＣタグ３３ａおよび３３ｂもできるだけ送受信装置３４の近くに設置した方がよい。よって、ＴＶアダプタレンズ２０に設置するＩＣタグ３３ａは、ビームスプリッター１３を備える鏡筒が接続されるＴＶアダプタレンズ２０の下方位置に設置する。また、中間鏡筒１２のＩＣタグ３３ｂは、ビームスプリッター１３を備える鏡筒が接続される中間鏡筒１２の上方位置に設置する。このように送受信装置３４に近接して設置することで、１つの送受信装置３４で２つのＩＣタグ３３ａおよび３３ｂの設定情報を読み出すことができる。読み出された設定情報は、上述のようにケーブルを介して送受信装置３４から操作装置２３へ転送、保持される。
【００６４】
図４(b) は、ＩＣタグ３３ａおよび３３ｂから読み出されたＴＶアダプタレンズ２０および中間鏡筒１２の設定情報を示す図である。上記の図３に示したＳ３では、これらの設定情報が操作装置２３のＲＡＭ４３に保持される。
【００６５】
なお、図３に示した処理のとおり、送受信装置３４は常にＩＣタグとの間で通信しているわけではないので、新たに手動ユニット（本実施例の場合にはＴＶアダプタレンズ２０および中間鏡筒１２）を変更した場合には、それを光路上に設置後、変更された手動ユニットを再認識させるために、ＰＣ３２上で動作するソフトウェアまたは操作部３７から読出し指示を行い、送受信装置３４を再度起動させる必要がある。このときの読出し指示は、操作部３７上のボタンによるものであってもよいし、或いは、ＰＣ３２上で動作するソフトウェアの命令によるものであってもよい。
【００６６】
本実施例に係る中間鏡筒１２は変倍装置である。中間鏡筒１２は、光路を複数に分け双眼鏡筒を増やす目的があるが、変倍装置の役割もある。上記の説明では、中間鏡筒１２における中間倍率を１×固定とし、中間鏡筒１２に設けるＩＣタグ３３ｂを１つとしたが、中間鏡筒１２が備える中間倍率の光学素子毎にＩＣタグ３３ｂを設けるようにすることも可能である。この場合のＩＣタグ３３ｂの設置例を、図５(a),(b),(c)を用いて説明する。
【００６７】
図５(a),(b),(c) は、ターレット形状の内部取り付け穴に複数配置された中間倍率の光学素子を備える中間鏡筒１２に対するＩＣタグ３３ｂの設置例を説明する図である。
なお、本例では、同図(b),(c) に示したように、送受信装置３４を、中間鏡筒１２の後方であってキューブユニット１１を備えた投光管５２と中間鏡筒１２との接続位置付近の投光管５２の上面に設置し、中間鏡筒１２における光路５１中の光学素子に設けられたＩＣタグ３３ｂから、その光学素子の製造シリアルナンバー、製品名、倍率などを取得する。
【００６８】
同図(a),(b) に示したように、ターレット形状の内部取り付け穴に配置された光学素子毎に、対応するＩＣタグ３３ｂを設置する。但し、この場合、光路５１中の光学素子に設けられたＩＣタグ３３ｂが、中間鏡筒１２外部に設置された送受信装置３４に近接するように設置する。また、ここで使用するＩＣタグ３３ｂは、近距離用のＩＣタグを用いる。これにより、ターレット形状の内部取付け穴に配置された複数の光学素子のうち光路５１中の光学素子に設置されたＩＣタグ３３ｂに保持されている情報のみを読出すことが可能となる。或いは、電波遮断部材を用いて、光路５１中の光学素子に設置されたＩＣタグ３３ｂに保持されている情報のみが読出されるように構成することも可能である。
【００６９】
本例の場合、中間鏡筒１２において、ターレット形状の内部取付け穴に配置された複数の光学素子の何れかが光路５１上に挿入された時に、送受信装置３４に最もＩＣタグ３３ｂが近接し、光路５１中の光学素子の設定情報を送受信装置３４に送信することができる。なお、中間鏡筒１２外部にある送受信装置３４への電源供給は、操作装置２３からケーブルを介して行われる。ＩＣタグ３３ｂから送信された設定情報は、送受信装置３４に受信され、操作装置２３に転送、保存される。ここで、ＰＣ３２上で動作するソフトウェアからの指示があると、操作装置２３に保存された設定情報が、ＰＣ３２へ転送され、そのソフトウェアにより表示部の表示画面に反映（表示）される。
【００７０】
なお、本実施例では、ＴＶアダプタレンズ２０および中間鏡筒１２の２つの手動ユニットが近くにあるため、送受信装置３４は１つで問題ないが、更に、他のユニットにもＩＣタグを設ける場合には、送受信装置３４を増設し、新たに設けたＩＣタグに近接するように、増設する送受信装置３４の設置を行う。また、本システムの周辺に、ＩＣタグを設けた別の顕微鏡システムが存在する場合には、その別の顕微鏡システムに設けられたＩＣタグの情報を受信しないように電波遮断を行うことにより、目的のＩＣタグとの送受信を確実にする。
【００７１】
以上、本実施例に係る顕微鏡システムによれば、手動ユニットに非接触式記憶媒体であるＩＣタグを設けることによって、電気的に接続されているユニット（電動ユニット）の情報だけでなく、他の手動ユニットの情報も自動的に取得することができる。よって、ユーザによる手動入力の手間や手動入力によるミスをなくし、作業効率を向上させることができる。
【００７２】
なお、本実施例に係る顕微鏡システムでは、次に説明するような各種の変形例が考えられる。
例えば、本実施例では、電動顕微鏡システムとしたが、手動顕微鏡システムであってもよい。但し、手動顕微鏡システムとした場合であっても、上記の操作装置２３、操作部３７、及びＰＣ３２は含まれる。
【００７３】
また、本実施例では、ＩＣタグを取付けるユニットを、ＴＶアダプタレンズ２０と中間鏡筒１２としたが、ケーブル接続のない他の手動ユニット（例えば鏡筒、ランプハウス、投光管など）とすることも可能である。また、ＩＣタグおよび送受信装置の設置位置は、上記で説明した位置に限定されない。ただし、電波は距離の２乗に反比例して減少するので、ＩＣタグと送受信装置との間で情報の送受が可能な範囲内に、ＩＣタグと送受信装置とを取付けるようにすればよい。
【００７４】
また、本実施例において、変倍装置である中間鏡筒として、レバー形状の変倍装置である中間鏡筒を適用することも可能である。この場合の適用例を図６(a),(b) を用いて説明する。
【００７５】
同図(a),(b) は、押しレバー形状の変倍装置である中間鏡筒に対するＩＣタグの設置例を説明する図である。なお、本例では、送受信装置３４を、中間鏡筒１２´側面であって（同図(b) 参照）、中間鏡筒１２´とキューブユニット１１を備えた投光管５２との接続位置付近の投光管５２の上部または中間鏡筒１２´とビームスプリッター１３を備えた鏡筒との接続位置付近の鏡筒の下部に設置し、中間鏡筒１２´における光路５１中の光学素子に設けられたＩＣタグ３３ｂから、その光学素子の製造シリアルナンバー、製品名、倍率などを取得する。
【００７６】
同図(a),(b) に示したように、レバー形状の内部取り付け穴に配置された光学素子毎に、対応するＩＣタグ３３ｂを設置する。但し、この場合、光路５１中の光学素子に設けられたＩＣタグ３３ｂが、中間鏡筒１２´側面に設置された送受信装置３４に近接するように設置する。また、ここで使用するＩＣタグ３３ｂも、近距離用のＩＣタグを用いる。これにより、レバー形状の内部取付け穴に配置された複数の光学素子のうち光路５１中の光学素子に設置されたＩＣタグ３３ｂの情報のみを読出すことが可能となる。或いは、電波遮断部材を用いて、光路５１中の光学素子に設置されたＩＣタグ３３ｂの情報のみが読出されるように構成することも可能である。
【００７７】
なお、同図(a),(b)および図５(a),(b),(c) を用いて説明したＩＣタグ３３ｂの設置例において、ＩＣタグ３３ｂに電源を備えさせ、常に情報（例えば倍率情報など）を送信させると共に、光路５１に挿入された光学素子の設定情報のみが外部送信されるよう光路５１以外の光学素子に設置されたＩＣタグ３３ｂからの電波を遮断する構造とし、光路５１に挿入された光学素子に設置されたＩＣタグ３３ｂが外部送信しやすい構造とすることも可能である。
【００７８】
また、本実施例に係る顕微鏡システムは、正立型顕微鏡システム或いは倒立形顕微鏡システムのいずれにも適用可能である。
また、本実施例では、ＩＣタグを用いてユニットの情報を取得するが、一部のユニットについては、バーコードを用いてユニットの情報を取得するように構成することも可能である。
【００７９】
また、本実施例において、ＰＣ３２または操作装置２３に読出しボタンを設け、当該ボタンが押下されるたびに、ＩＣタグの読出しを行うように構成することも可能である。
また、本実施例に係るＩＣタグの読出し処理では、ＰＣ３２上で動作するソフトウェアまたは操作部３７から読み出し指示が行われているが、操作装置２３自らが読出し指示を行うようにしてもよい。
【００８０】
また、本実施例に係るＩＣタグの読出し処理において、操作装置２３に接続されている操作部３７の表示部に、操作装置２３のＲＡＭ４３に保存されている設定情報を表示、操作することができるように構成してもよい。
【００８１】
また、本実施例に係る送受信装置３４の設置位置は、図５(b),(c)や図６(b) に示した位置に限らず、他の位置に設置することも可能である。この場合の設置例を図７を用いて説明する。
【００８２】
図７は、送受信装置３４の他の設置例を示す図である。
同図に示したように、送受信装置３４を、図５(b),(c)を用いて説明した投光管５２の上面や、図６(b)を用いて説明した中間鏡筒１２´の側面に限らず、投光管５２の上部であって中間鏡筒１２の光路に近い側面に設置してもよく（図７に示す送受信装置３４ａ）、或いは、中間鏡筒１２の光路の近くであってビームスプリッター１３を備えた鏡筒５３の側面に設置してもよい（同図に示す送受信装置３４ｂ）。なお、中間鏡筒１２の側面に送受信装置３４ａを設置する場合には、中間鏡筒１２を変更するたびに送受信装置３４を設置し直す手間があるが、この手間を無視できるとするならば、このように設置してもよいとする。また、これらの位置に設置された送受信装置も、操作装置２３からケーブルを介して電源供給される。
【００８３】
また、本実施例において、送受信装置３４を、設置されたＩＣタグの近くに設置すのではなく、長距離用の送受信装置を用いて、そこから離れた位置に設置するようにしてもよい。この場合の本システムの構成および動作を、図８および図９を用いて説明する。
【００８４】
図８は、長距離用の送受信装置を用いた場合の本システムの概略構成を示す図である。
同図に示したように、長距離用の送受信装置５４を使用する本例の場合、ＩＣタグは、読出しおよび書込み可能なＩＣタグを使用する。また、本例のシステムでは、ＩＣタグへ非接触で書込みを行う書込み専用装置５５が操作装置２３に接続されている。書込み専用装置５５は、読出しおよび書込み可能なＩＣタグに、操作装置２３固有のコード（以下単に「固有コード」という）を書込むことが可能となっている。ただし、ＩＣタグへの固有コードの書込みは、ＩＣタグと書込み専用装置５５とが近接した状態でのみ可能であるとする。これにより、ＩＣタグと書込み専用装置５５とが近接された状態でのみ通信可能となるため、その周辺にＩＣタグが設置されたユニットが存在する場合であっても、誤って意図しないＩＣタグへの書込みを行ってしまうという問題はない。なお、固有コードは、操作装置２３固有のコードだけでなく顕微鏡装置５６固有のコードとしてもよい。
【００８５】
図９(a),(b),(c) は、長距離用の送受信装置を使用した場合の本システムの動作を示すフローチャートである。なお、本動作に係る処理も、操作装置２３のマイクロコンピュータ４１によって行われる処理である（但しユーザの動作を除く）。
【００８６】
同図(a) に示す処理は、ＩＣタグに固有コードを書き込む処理であって、操作装置２３の電源が投入されているときに開始する。
同図(a) において、まずＳ１１では、ユーザが、読出しおよび書込み可能なＩＣタグを書込み専用装置５５に近接させるように設置する。なお、本ステップは、固有コードを書込む準備動作である。ユニットの外形に設置されたＩＣタグについては書込み専用装置５５に近接させることができるが、中間鏡筒１２のように内部に設置され光路上に光学素子が挿入されない限りＩＣタグが表に現れないものについては、光路上に光学素子を挿入させた状態でＩＣタグを書込み専用装置５５に近接させる。これらの作業は、ユーザが手動で行う。
【００８７】
Ｓ１２では、ユーザが操作部３７あるいはＰＣ３２上で動作するソフトウェアに対して書込み指示を行うと、操作部３７あるいはＰＣ３２上で動作するソフトウェアが操作装置２３へ書込み命令を発信し、書込み専用装置５５が、近接したＩＣタグに固有コードを書込む。
【００８８】
このように、同図(a) に示した処理により、ＩＣタグへの固有コードの書き込みが行われる。
同図(b) に示す処理は、ＩＣタグの読出し処理である。この処理は、操作装置２３の電源が投入され、長距離用の送受信装置５４が起動されているときに、開始する。
【００８９】
同図(b) において、まずＳ１３では、操作部３７またはＰＣ３２上で動作するソフトウェアから読出し指示を受け取る。
Ｓ１４では、Ｓ１３で受け取った読出し指示に応じて、送受信装置５４からＩＣタグへ電波を発信し、その電波を受信可能なＩＣタグに非接触にて電力を供給すると共に、そのＩＣタグにアクセスして設定情報を読み出す。
【００９０】
Ｓ１５では、Ｓ１４で読み出された設定情報（ＩＣタグの送信データ）を操作装置２３内のＲＡＭ４３に保存する。本ステップにより、送受信装置３４周辺のＩＣタグの設定情報がすべてＲＡＭ４３に保存される。本例では、長距離用の送受信装置５４を使用しているので、周辺のＩＣタグの設定情報が無差別に読出され保存される。
【００９１】
Ｓ１６では、Ｓ１５でＲＡＭ４３に保存された設定情報を読出す。
Ｓ１７では、Ｓ１６で読み出された設定情報のうち、固有コードを含む設定情報だけを、ＰＣ３２の表示画面の対応部分に表示（反映）する。すなわち、本ステップでは、固有コードの判別も行われる。そして、表示した設定情報をＲＡＭ４３から削除する。
【００９２】
Ｓ１８では、ＲＡＭ４３内に固有コードを含む設定情報が残っていないか否かを判定する。ここで、その判定結果がＮＯの場合（ＲＡＭ４３に固有コードを含む設定情報が残っている場合）には、再度ＲＡＭ４３内の固有コードを含む設定情報の読出しを行うためにＳ１６へ戻る。一方、その判定結果がＹＥＳの場合（ＲＡＭ４３に固有コードを含む設定情報が残っていない場合）には、すべてのＩＣタグの設定情報を読出したことになるので、本処理が終了する。
【００９３】
このように、同図(b) に示した処理により、ＩＣタグの読出し処理が行われる。なお、固有コードの書込みを行ったＩＣタグのユニットを本システムから取り外す（使用しない場合）には、同図(c) に示す、固有コードを削除する処理を行う。本処理も、操作装置２３の電源が投入されているときに開始する。
【００９４】
同図(c)において、まずＳ１９では、ユーザが、固有コードが書込まれたＩＣタグのユニットを外し、そのＩＣタグを、書込み専用装置５５に近接させるように設置する。なお、このときのＩＣタグの設置方法は、同図(a) に示したＳ１１と同様である。これにより、ＩＣタグとの通信を確実に行えるようにする。
【００９５】
Ｓ２０では、そのＩＣタグから書込まれた固有コードを削除する。なお、固有コードの削除は、操作部３７上の所定のボタン操作により、またはＰＣ３２上で動作するソフトウェア上から削除プログラムが起動され、そこでの所定のボタン操作により、固有コードの削除が指示されることによって行われる。
【００９６】
このように、同図(c) に示した処理により、ＩＣタグから固有コードが削除される。
なお、取り外したユニットを再び顕微鏡装置５６に取り付ける場合には、同図(a)に示した処理を再び実行させればよい。また、本例のように長距離用の送受信装置５４を使用する場合には、常に初めは同図(b)に示した処理を行い、顕微鏡装置５６に設置されているユニットの最新情報を取得するようにする。
【００９７】
また、本実施例では、ＩＣタグを設置する手動ユニットとして、ＴＶアダプタレンズ２０および中間鏡筒１２を例に説明したが、ユーザーが自ら挿入できるユニットにＩＣタグを設置するようにしてもよい。例えば、ユーザが自ら挿脱できる光学素子の１つにキューブユニット１１がある。キューブユニット１１にＩＣタグを設置する場合、そのＩＣタグは読出しおよび書込み可能なＩＣタグを用いることが望ましい。また、そのＩＣタグでは、励起波長、吸収波長、製造シリアルナンバー、製品名などの情報を設定情報として保持させ、更に、蛍光標本における試薬に対になる情報を書込み情報としてユーザーが書込めるようにする。すなわち、ＩＣタグには、製品名、製造シリアルナンバー、励起波長などを固定の情報として保持させ、ユーザー書込み情報として試薬名などを入力できるようにする。このようにすることで、ユーザーは、電源投入と同時に、光路上に何れのキューブユニットが挿入されているかを確認することができると共に、観察中の標本に対応するキューブユニットが何れになるかをユーザ自らがＩＣタグに書込むことができる。これにより、キューブターレットに挿入されているキューブユニットの位置を探す手間が省け、さらに、何れのキューブターレットが何れの試薬に対応するのかということをＩＣタグに書き込むことができるため、作業効率を向上させることができる。
【実施例２】
【００９８】
次に、本発明の実施例２に係る顕微鏡システムについて説明する。
本実施例に係る顕微鏡システムの特徴は、ＩＣタグから読出した情報を、撮影画像に反映させるところにある。
【００９９】
本実施例に係る顕微鏡システムの構成において、実施例１に係る顕微鏡システムと同一の要素については同一の符号を付し、ここではその説明を省略する。
また、本実施例に係る顕微鏡システムでは、手動ユニットであるＴＶアダプタレンズ２０と中間鏡筒１２の構成を次のとおりとする。
【０１００】
ＴＶアダプタレンズ２０  ：０．２５×
中間鏡筒１２            ：２×（１×〜２×）
図示は省略するが、実施例１と同様に、手動ユニットであるＴＶアダプタレンズ２０および中間鏡筒１２は、光路上に設置されている。また、送受信装置３４は、キューブユニット１１を含む投光管上部に設置され、ＩＣタグ３３ａは、ＴＶアダプタレンズ２０の下方部に設置されている。ＩＣタグ３３ｂは、実施例１に係る変形例の一つとして図５(a),(b),(c)または図６(a),(b)を用いて説明したように、各光学素子に対応して設置されている。各ＩＣタグ３３ｂには、対応する光学素子の倍率情報などが保持されている。これにより、光路上に挿入された光学素子の倍率情報の読出しが可能になっている。
【０１０１】
なお、送受信装置３４の設置位置は、図７を用いて説明したとおり、各種変形が可能である。
送受信装置３４は、ＩＣタグ３３ａおよび３３ｂから情報を読出す。送受信装置３４に読出された情報は、操作装置２３へ転送され保持される。
【０１０２】
次に、操作装置２３のマイクロコンピュータ４１によって行われる、ＩＣタグから情報を読出し撮影画像へ反映する処理を説明する。
図１０は、その処理に係るフローチャートを示す図である。
【０１０３】
本処理は、操作装置２３の電源が投入され、これに接続されている送受信装置３４に電源が供給されているときに、開始する。
同図において、まず、Ｓ２６乃至Ｓ２８では、図３に示したＳ１乃至Ｓ３と同様の処理が行われるの、ここでは説明を省略する。
【０１０４】
Ｓ２９では、操作部３７が備える撮影ボタンの押下に応じて操作部３７から送信された命令、あるいは、ＰＣ３２上で動作するソフトウェアからの命令を受け取る。これにより、操作装置２３からデジタルカメラ２１に撮影命令が出される。
【０１０５】
Ｓ３０では、操作装置２３からの撮影命令に応じてデジタルカメラ２１が撮像を行い、得られた撮影画像がＰＣ３２へ転送され、ＰＣ３２上で動作するソフトウェアにより表示部の表示画面に表示される。
【０１０６】
Ｓ３１では、Ｓ３０でデジタルカメラ２１が撮像した時の設定条件（露光時間、ＣＣＤの大きさ、ビニングなど）を取得し、それをＰＣ３２上で動作するソフトウェアにより先に撮影画像が表示されている表示画面に反映（表示）させる。なお、本ステップでは、デジタルカメラ２１のすべての設定が読み出され、その設定情報は、ケーブル３５を介して撮影コントロール部２５へ転送され、更にＰＣ３２へ転送され処理される。
【０１０７】
Ｓ３２では、Ｓ２８でＲＡＭ４３に保存された、ＴＶアダプタレンズ２０のＩＣタグ３３ａの情報（倍率情報含む）および中間鏡筒１２における光路上の光学素子のＩＣタグ３３ｂの情報（倍率情報含む）と、ＰＣ３２で使用されているディスプレイ情報とを読出す。なお、ディスプレイの情報は、ＰＣ３２上で動作するソフトウェア（Operating Systemなど）から取得される。また、本ステップにおいて、ＲＡＭ４３に保存されたＩＣタグの情報を読出す処理は、例えば、図３に示したＳ４乃至Ｓ６の処理と同様にして行われる。
【０１０８】
Ｓ３３では、Ｓ３２で読出したＩＣタグの情報に含まれる倍率情報とディスプレイ情報とを用いて撮影画像の倍率を演算し、対物レンズ９と合わせた総合倍率をＰＣ３２上で動作するソフトウェアにより表示画面に反映（表示）させる。
【０１０９】
なお、総合倍率は、下記の式（１）により求めることができる。
総合倍率  ＝  対物レンズ倍率×中間変倍鏡筒×ＴＶアダプタレンズ×モニタ対角長／撮像素子対角長      式（１）
本実施例での撮影条件は、上記のとおりＴＶアダプタレンズ２０が０．２５×、中間鏡筒１２が１×〜２×である。また、モニタ対角長／撮像素子対角長（ＰＣ３２の表示部として使用したＴＶモニタ（ＣＲＴモニタ）に映し出された像のサイズをテレビ画面総合倍率で割った値）は、図１１(a)に示す電子倍率表から求めることができる。なお、同図(b) は、一般的なＣＣＤサイズを示す表である。
【０１１０】
仮に、デジタルカメラ２１のＣＣＤサイズを１／３とし、上記条件を用いて式（１）により最大総合倍率と最小総合倍率を求めると、
最大総合倍率＝対物レンズ倍率×６１．４（２×０．２５×１２２．８）
最小総合倍率＝対物レンズ倍率×９．５２５（１×０．２５×３８．１）
となる。
【０１１１】
なお、対物レンズ倍率情報は、フレームコントロール部２６から読出され、ケーブル２４を介して操作装置２３に転送、保持され、更にケーブル３６を介してＰＣ３２へ転送され、そしてＰＣ３２上で動作するソフトウェアにより表示画面に反映（表示）される。
【０１１２】
Ｓ３４では、Ｓ３０で得られた撮影画像に、Ｓ３１で取得された設定条件や、Ｓ３２でＩＣタグ３３ａおよび３３ｂから読み出された情報や、Ｓ３３で演算により求められた総合倍率情報などを付加し、一つの画像ファイルとして所定の記録媒体に記録する。なお、所定の記録媒体は、例えば、操作装置２３が備える記録媒体や、ＰＣ３２が備える記録媒体であってもよい。
【０１１３】
このように、図１０に示した処理により、常に、撮影ボタンの押下がトリガーとなって、光路上の対物レンズ９の倍率、ＴＶアダプタレンズ２０の倍率、中間鏡筒１２の倍率が読出され、操作装置２３内のマイクロコンピュータ４１による演算が行われ、総合倍率がＰＣ３２上で動作するソフトウェアにより表示画面に反映（表示）されると共に、その総合倍率やデジタルカメラ２１の設定などが撮影画像に付加され画像ファイルとして保存される。
【０１１４】
以上、本実施例に係る顕微鏡システムによれば、実施例１にて述べた効果に加え、更に、撮影条件に関する情報、手動ユニットに関する情報、及び総合倍率に関する情報を含む情報を、撮影画像に付加することができるので、後に、撮影画像に付加された情報から、撮影画像のより高い再現性を得ることができ、作業効率を向上させることができる。また、これにより、ユーザによる撮影設定などの記録および入力に係る手間を無くし、ユーザによる記録および入力のミスを無くすことができる。
【０１１５】
なお、本実施例に係る顕微鏡システムでは、次に説明するような各種の変形例が考えられる。
例えば、本実施例において、撮影画像に付加する情報として、更に、電動ユニットの情報、ユーザー情報（例えば撮影者情報）、および日時情報など、本システムに関係する情報とユーザーが自ら書込んだ情報を付加するようにしてもよい。
【０１１６】
また、本実施例では、ＰＣ３２の表示部としてＴＶモニタを使用し、総合倍率の演算ではＴＶモニタの数値を使用したが、このＴＶモニタの代わりに、ＴＦＴモニタを使用し、総合倍率の演算ではＴＦＴモニタの数値を使用するようにしてもよい。
【０１１７】
また、本実施例において、一部のＩＣタグをバーコードに置換するようにしてもよい。
また、本実施例に係る顕微鏡システムでは、上記のとおり、撮影画像に付加された情報から、撮影画像のより高い再現性を得ることができる。この場合の処理を図１２を用いて説明する。なお、本処理は、操作装置２３のマイクロコンピュータ４１によって行われる処理である（但しユーザの動作を除く）。
【０１１８】
図１２は、撮影画像に付加された情報から同じ観察系を再現する処理に係るフローチャートである。
本処理は、本システムに電源が供給されているときに、ＰＣ３２上で動作するソフトウェア上から、同一の観察系を再現したい撮影画像の画像ファイルがユーザにより選択されているときに、開始する。なお、ここで選択されている画像ファイルの撮影画像には、撮像時の電動ユニットの設定情報も付加されているものとする。
【０１１９】
図１２において、まずＳ４１では、ユーザによる、ＰＣ３２上で動作するソフトウェア上の”撮影条件に戻す”ボタンの押下に応じて、ＰＣ３２から操作装置２３へ”撮影条件に戻す”指示が発信される。なお、この指示は、操作部３７から行うようにしてもよい。
【０１２０】
Ｓ４２では、各コントロール部に対し読出し指示を行い、各コントロール部から各電動ユニットの設定情報を取得する。
Ｓ４３では、選択されている画像ファイルから読出した撮影画像に付加されている情報に含まれる電動ユニットの設定情報と、Ｓ４２で取得した各電動ユニットの設定情報とを比較し、選択されている画像ファイルの撮影画像を撮像した時と同一の電動ユニットが存在するか否かを判定する。
【０１２１】
Ｓ４３の判定結果がＮＯの場合、続くＳ４４では、ＰＣ３２の表示部の表示画面に、同一の電動ユニットを設定できないことを表示し、本フローに係る処理が終了する。
一方、Ｓ４３の判定結果がＹＥＳの場合、続くＳ４５では、選択されている画像ファイルに含まれる電動ユニットの設定情報（撮影条件）に従って、電動ユニットを駆動して同一の設定にする。
【０１２２】
Ｓ４６では、ＰＣ３２の表示部の表示画面に、電動ユニットを同一の設定にしたことを表示する。
Ｓ４７では、選択されている画像ファイルに含まれる電動ユニットの設定情報（撮影条件）に従って、全ての電動ユニットを同一の設定にしたか否かを判定する。
【０１２３】
Ｓ４７の判定結果がＮＯの場合には、Ｓ４３へ戻り上述の処理を繰り返す。
一方、Ｓ４７の判定結果がＹＥＳの場合、続くＳ４８では、送受信装置３４から電波を発信させる。
【０１２４】
Ｓ４９では、ＩＣタグから設定情報を読出し、操作装置２３内のＲＡＭ４３に保存する。なお、本例において、ＩＣタグは手動ユニットに設置されている。
Ｓ５０では、選択されている画像ファイルから読出した撮影画像に付加されている情報に含まれる手動ユニットの設定情報と、Ｓ４９で保存した手動ユニットの設定情報とを比較し、選択されている画像ファイルの撮影画像を撮像した時と同一の手動ユニットが存在するか否かを判定する。
【０１２５】
Ｓ５０の判定結果がＮＯの場合には、続くＳ５１では、ＰＣ３２の表示部の表示画面に、同一の手動ユニットを設定できないことを表示し、本フローに係る処理が終了する。
一方、Ｓ５０の判定結果がＹＥＳの場合、続くＳ５２では、選択されている画像ファイルから読出した手動ユニットの設定情報と、Ｓ４９で保存した手動ユニットの設定情報とを比較し、撮影条件が同じか否かを判定する。
【０１２６】
Ｓ５２の判定結果がＹＥＳの場合、続くＳ５３では、ＰＣ３２の表示部の表示画面に、同一の手動ユニットが設定されていること（設定通りであるということ）を表示し、本フローに係る処理が終了する。
【０１２７】
一方、Ｓ５２の判定結果がＮＯの場合、続くＳ５４では、ＰＣ３２の表示部の表示画面に、異なる手動ユニットが設定されていること（設定が異なること）を表示する。なお、本ステップでは、異なる手動ユニットが何れであるかを表示すると共に、撮影条件を同じにするため何れの手動ユニットが設定されるべきであるかを表示するようにしてもよい。
【０１２８】
Ｓ５５では、手動ユニットの設定を同一にするため、ユーザが、設定が異なる手動ユニットを可動させる操作を行う。
Ｓ５６では、選択されている画像ファイルから読出した手動ユニットの設定情報のとおりに手動ユニットが設定されているか否かを判定する。なお、この判定を行うためには、Ｓ５５でユーザが手動ユニットを可動させた後に、再度、ＩＣタグから設定情報の読出しを行う必要がある。このときの設定情報の読出しのタイミングとしては、次の２つのいずれを用いても良い。１つは、送受信装置３４が常に電波を発信し、現在の光路上の手動ユニットの設定情報を取得するようにする。もう１つは、ユーザが、手動ユニットを可動させるたびに、送受信装置３４からの電波発信の指示を行い、その都度、手動ユニットの設定情報を取得するようにする。
【０１２９】
Ｓ５６の判定結果がＹＥＳの場合、続くＳ５７では、ＰＣ３２の表示部の表示画面に、同一の手動ユニットが設定されていること（設定通りであるということ）を表示し、Ｓ５９へ進む。
【０１３０】
一方、Ｓ５６の判定結果がＮＯの場合、続くＳ５８では、ＰＣ３２の表示部の表示画面に、同一の手動ユニットの設定ができていないことを表示し、Ｓ５９へ進む。
Ｓ５９では、選択されている画像ファイルに含まれる手動ユニットの設定情報（撮影条件）に従って、全ての手動ユニットを同一の設定にしたか否かを判定する。
【０１３１】
Ｓ５９の判定結果がＹＥＳの場合には、本フローに係る処理を終了する。
一方、Ｓ５９の判定結果がＮＯの場合には、Ｓ５２へ戻り、上述の処理が繰り返される。
【０１３２】
このように、図１２に示した処理により、撮影画像に付加された情報から、撮影時と同じ観察系を再現性高く実現することができ、この状態で撮影を行うことにより、撮影画像のより高い再現性を得ることができる。
【実施例３】
【０１３３】
次に、本発明の実施例３に係る顕微鏡システムについて説明する。
本実施例に係る顕微鏡システムの特徴は、読出しおよび書込み可能な送受信装置およびＩＣタグを用い、ランプの寿命を厳密に表示させるところにある。
【０１３４】
本実施例に係る顕微鏡システムの構成において、実施例１に係る顕微鏡システムと同一の要素については同一の符号を付し、ここではその説明を省略する。
図１３は、本実施例に係る顕微鏡システムの一部構成を示す図である。
【０１３５】
同図において、ランプハウス６１内部には、ハロゲンランプからなる透過照明用光源１が設置されている。ランプハウス６１側面には、ＩＣタグ６２が設置されている。ランプハウス６１付近には送受信装置６３が存在し、送受信装置６３はケーブル６４を介して操作装置２３に接続されている。ＩＣタグ６２に保持されている情報は、送受信装置６３により読み出され、ケーブル６４を介して操作装置２３に転送、保持され、更に、ケーブル３６を介してＰＣ３２上で動作するソフトウェアにより表示部の表示画面に表示させることが可能になっている。
【０１３６】
ＩＣタグ６２は、これまでに説明した、製品名、製造シリアルナンバーなどの設定情報のほかに、書込み可能な情報としてランプハウス６１内部のハロゲンランプの点灯時間（以下「ランプ点灯時間」という）を保持する。ＩＣタグ６２に保持されているランプ点灯時間は、ハロゲンランプの点灯時間が１分を経過するたびに＋１加算され更新される。なお、ハロゲンランプ自体を交換する場合、ＩＣタグ６２に保持されているランプ点灯時間をリフレッシュさせる必要がある。このリフレッシュさせる命令の発信は、操作装置２３に接続されているＰＣ３２または操作部３７から行われる。
【０１３７】
次に、操作装置２３のマイクロコンピュータ４１によって行われる、ＩＣタグ６２に対するランプ点灯時間の読出しおよび書込みを行う処理を説明する。
図１４は、その処理に係るフローチャートを示す図である。
【０１３８】
本処理は、操作装置２３の電源が投入され、これに接続されている送受信装置６３に電源が供給されているときに、開始する。
同図において、まずＳ６６では、ＩＣタグ６２が存在するか否かを判定する。なお、この判定では、送受信装置６３から電波を送信し、ＩＣタグ６２との間で通信可能となった場合に、ＩＣタグ６２が存在すると判定される。
【０１３９】
Ｓ６６の判定結果がＮＯの場合、続くＳ６７では、ＰＣ３２上で動作するソフトウェアによりＩＣタグ６２が存在しない旨の情報が表示画面に表示され、本フローに係る処理が終了する。
【０１４０】
一方、Ｓ６６の判定結果がＹＥＳの場合、続くＳ６８では、ＩＣタグ６２が保持しているランプ点灯時間を読出し、続くＳ６７では、ＰＣ３２上で動作するソフトウェアにより、読み出されたランプ点灯時間の情報が、これまでの調光点灯時間として表示画面に表示される。
【０１４１】
Ｓ６９では、ランプハウス６１内のハロゲンランプ点灯中（調光中）に１分間隔のパルスを発生させる。なお、この１分間隔のパルスは、操作装置２３内のマイクロコンピュータ４１が発生させる。また、ハロゲンランプの点灯はフレームコントロール部２６が制御しているので、ハロゲンランプの点灯中は、フレームコントロール部２６がマイクロコンピュータ４１へ点灯中であることを示す信号を送信する。マイクロコンピュータ４１は、フレームコントロール部２６からの点灯中であることを示す信号があるときのみ、１分間隔のパルスを発生させる。
【０１４２】
Ｓ７０では、ハロゲンランプの点灯中に発生させられるパルスを基に、１分経過するごとに、これまでのランプ点灯時間＋１＝現在のランプ点灯時間として、その現在のランプ点灯時間を書込み情報として送受信装置６３からＩＣタグ６２へ送信する。これにより、ＩＣタグ６２に保持されていたランプ点灯時間が上書き、更新される。
【０１４３】
Ｓ７１では、ＰＣ３２上で動作するソフトウェアにより、Ｓ７０で書込まれたランプ点灯時間が常に表示画面に表示される。これにより、ユーザーは、常に厳密なランプ点灯時間を確認することができる。
【０１４４】
Ｓ７２では、ランプハウス６１内のハロゲンランプの調光中以外は、Ｓ７０で上書きされたランプ点灯時間をＩＣタグ６２に保持させる。
Ｓ７３では、操作装置２３の電源がＯＮであるか否かを判定する。
【０１４５】
Ｓ７３の判定結果がＹＥＳの場合にはＳ７０へ戻り、上述の処理が繰り返される。
一方、Ｓ７３の判定結果がＮＯの場合には、本フローに係る処理が終了する。
このように、図１４に示した処理により、ランプハウス６１に設置されたＩＣタグ６２に対する、ランプ点灯時間の読出しおよび書込みが行われる。
【０１４６】
以上、本実施例に係る顕微鏡システムによれば、ランプハウスに読出しおよび書込み可能なＩＣタグを用いることで、ランプハウスという何れの顕微鏡システムでも接続され得るユニットが何れで使用されても、厳密なるハロゲンランプの総点灯時間を取得することができるので、例えば、点灯寿命によるハロゲンランプの交換時期をユーザーに簡便に知らせることもでき、作業効率を向上させることができる。
【０１４７】
なお、本実施例に係る顕微鏡システムでは、次に説明するような各種の変形例が考えられる。
例えば、本実施例において、読出しおよび書込み可能なＩＣタグ６２と、送受信装置６３の設置位置は、上記で説明した位置に限らない。
【０１４８】
また、本実施例では、ＩＣタグ６２から読み出した情報が、ＰＣ３２上で動作するソフトウェアにより表示画面に表示されるが、それを操作装置２３に接続されている操作部３７に設けられた表示部に表示するようにしてもよい。
【０１４９】
また、本実施例において、ＰＣ３２をインターネットに接続し、ランプ点灯時間をインターネットを介して外部装置に送信するようにしてもよい。これにより、例えば、インターネットを介してランプ点灯時間を遠隔地の装置へ送信することができる。あるいは、ハロゲンランプのメーカーが運営するサーバにランプ点灯時間を送信し、そのランプ点灯時間からサーバがハロゲンランプの寿命が近いか否かを判定し、寿命が近いと判定したときにはその旨をＰＣ３２へ送信し、ＰＣ３２の表示画面にその旨を表示させるようにすることもできる。また、操作装置２３は、ランプ点灯時間のほか、ハロゲンランプの点灯頻度や点灯出力などの情報も取得するようにし、その情報をインターネットを介して外部装置に送信するようにしてもよい。
【０１５０】
また、本実施例では、ハロゲンランプに対してＩＣタグ６２を設けたが、光源をＬＥＤとし、ＬＥＤに対してＩＣタグを設けるようにすることもできる。この場合には、ＬＥＤ実装基板上に、読出しおよび書込み可能なＩＣタグを設置し、これにＬＥＤの点灯時間、分光特性、経時変化などの情報を保持させる。そして、この情報は、外部の読出しおよび書込み可能な送受信装置６３によって読出され、送受信装置６３に接続されている操作装置２３に転送、保存される。
【０１５１】
また、本実施例では、ハロゲンランプに対してＩＣタグを設けたが、他の光源に対してＩＣタグを設けるようにしてもよい。また、光源以外にも、一定の使用期間が経過すると交換が必要なユニットに対してＩＣタグを設けるようにしてもよい。
【０１５２】
また、本実施例において、ＩＣタグを複数配置した場合には、一部のＩＣタグをバーコードに置換するようにしてもよい。
以上が、実施例１乃至３の説明である。
【０１５３】
ここで、実施例１にて図８及び図９(a),(b) を用いて説明したように、ＩＣタグへの固有コードの書込みにより、他のシステムから読出された設定情報を認識しない（使用しない）ようにする場合の具体例を、図１５(a),(b),(c),(d) を用いて説明する。
【０１５４】
図１５(a) は、工場出荷時におけるユニットに設けられたＩＣタグに記憶されている情報を示す図である。同図(a) に示したように、ユニット７１のＩＣタグ７１ａには、顕微鏡システム固有の情報であるグループ情報（上記の固有コードに対応）を読み書き可能なグループ情報格納領域と、ユニット情報が記憶された領域が有る。但し、工場出荷時においてグループ情報格納領域には何も書き込まれていない。
【０１５５】
なお、本例では、ユニット７１をＴＶアダプタレンズとし、ＩＣタグ７１ａには、ユニット情報としてユニット名：「ＴＶアダプタＡ」及び倍率：「０．２５倍」等が記憶されている。
【０１５６】
図１５(b) は、ユニット７１を顕微鏡システムＡ（図８に示した顕微鏡システムに対応）にセットする時（セッティング時）の動作を示す図である。なお、この動作は、図９(a) に示した動作に対応する。図１５(b) に示したように、この時、顕微鏡システムＡが備えるＩＣタグ書き込みユニット（書込専用装置５１に対応）７２は、顕微鏡システムＡに固有な情報である顕微鏡装置Ａのシリアルナンバー：「ＡＡＡ」をグループ情報としてＩＣタグ７１ａのグループ情報記憶領域に書き込む。
【０１５７】
図１５(c) は、顕微鏡システムＡにセットされたユニット７１のＩＣタグ７１ａに記憶されている情報を読出す時の動作を示す図である。なお、この動作は、図９(b) のＳ１３乃至１５に対応する。図１５(c) に示したように、この時、顕微鏡システムＡが備えるＩＣタグ読み取りユニット（送受信装置５４に対応）７３は、ＩＣタグ７１ａに記憶されているグループ情報及びユニット情報（「ＡＡＡ＋ユニット」）を読み出す。但し、同図(c) に示したように、顕微鏡システムＡの近隣に、同一の顕微鏡システムである、ユニット７４がセットされた別の顕微鏡システムＢが存在する場合、ＩＣタグ読み取りユニット７３は、ユニット７４のＩＣタグ７４ａに記憶されているグループ情報及びユニット情報（「ＢＢＢ＋ユニット」）も読出してしまう。
【０１５８】
なお、ＩＣタグ７４ａには、図１５(b) を用いて説明した動作と同様にして顕微鏡システムＢのシリアルナンバー：「ＢＢＢ」がグループ情報として記憶されている。また、ＩＣタグ７４ａには、ユニット情報として、ユニット名：「ＴＶアダプタＢ」及び倍率：「０．５倍」等が記憶されている。
【０１５９】
図１５(d) は、ＩＣタグ読み取りユニット７３により読出されたグループ情報を基に判定を行うことによって顕微鏡システムＡにセットされているユニット以外のユニット情報を認識しない（使用しない）ようにする時の動作を示す図である。なお、この動作は、図９(b)のＳ１６乃至１８に対応する。図１５(d) に示したように、この時、顕微鏡システムＡは、ＩＣタグ読み取りユニット７３により読出されたグループ情報と顕微鏡装置Ａのシリアルナンバーとが一致するか否かを判定し、一致すると判定した場合には、そのグループ情報とそれと共に読出されたユニット情報とを認識し、一致しないと判定した場合には、そのグループ情報とそれと共に読出されたユニット情報とを認識しない（使用しない）。なお、この判定を行う手段は、操作装置２３又はＰＣ３２に対応する。
【０１６０】
このように、セッティング時に、ユニット内のＩＣタグに顕微鏡システム固有のグループ情報を書込んでおくことによって、近隣に存在する同一の顕微鏡システムのユニットからユニット情報が読み出されてしまったとしても、それを誤って認識することはない。よって、例えばラボやスクリーニングなど、同一の顕微鏡システムが近隣に存在する状況においても、近隣の顕微鏡システムのユニット情報を誤って認識する虞はない。
【０１６１】
なお、図１５(a),(b),(c),(d) を用いて説明した方法以外にも、近隣の同一の顕微鏡システムに係るユニット情報の誤認識を防止する方法がある。ここで、その方法の一例を、図１６(a),(b),(c),(d) を用いて説明する。
【０１６２】
図１６(a) は、工場出荷時におけるユニットに設けられたＩＣタグに記憶されている情報を示す図である。同図(a) に示したように、ユニット７５のＩＣタグ７５ａには、ユニット７５に固有の情報であるユニットシリアルナンバー（ユニットＳ／Ｎ）：「Ｕ−ＡＡＡ」と、ユニット情報が記憶されている。
【０１６３】
なお、本例においても、ユニット７５をＴＶアダプタレンズとし、ＩＣタグ７５ａには、ユニット情報としてユニット名：「ＴＶアダプタＡ」及び倍率：「０．２５倍」等が記憶されている。
【０１６４】
図１６(b) は、ユニット７５を顕微鏡システムＡ（図８に示した顕微鏡システムに対応）にセットする時（セッティング時）の動作を示す図である。
なお、本例において、顕微鏡システムＡは、比較的に遠い位置に存在するＩＣタグから情報を読出すことが可能な後述の遠距離用ＩＣタグ読み取りユニット（送受信装置５４に対応）に加え、近傍に存在するＩＣタグのみから情報を読出すことが可能な近距離用ＩＣタグ読み取りユニット７６も備えているものとする。
【０１６５】
同図(b) に示したように、この時、顕微鏡システムＡが備える近距離用ＩＣタグ読み取りユニット７６は、ＩＣタグ７５ａに記憶されているユニットシリアルナンバー：「Ｕ−ＡＡＡ」を読出す。但し、この読出しは、近距離用ＩＣタグ読み取りユニット７６がＩＣタグ７５ａに近づけられた状態で行われる。顕微鏡システムＡは、近距離用ＩＣタグ読み取りユニット７６により読出されたユニットシリアルナンバーを所定の記憶媒体に格納することで、顕微鏡システムＡにセットされたユニット７５のユニットシリアルナンバーを登録する。なお、ユニットシリアルナンバーを登録する手段は、操作装置２３やＰＣ３２が対応し、ユニットシリアルナンバーが格納される所定の記憶媒体は、操作装置２３内のＲＡＭ４３や、ＰＣ３２内の不図示の記憶媒体が対応する。
【０１６６】
図１６(c) は、顕微鏡システムＡにセットされたユニット７５のＩＣタグ７５ａに記憶されている情報を読出す時の動作を示す図である。同図(c) に示したように、この時、顕微鏡システムＡが備える遠距離用ＩＣタグ読み取りユニット７７は、ＩＣタグ７５ａに記憶されているユニットシリアルナンバー及びユニット情報（「Ｕ−ＡＡＡ＋ユニット」）を読み出す。但し、同図(c) に示したように、顕微鏡システムＡの近隣に、同一の顕微鏡システムである、ユニット７８がセットされた別の顕微鏡システムＢが存在する場合、遠距離用ＩＣタグ読み取りユニット７７は、ユニット７８のＩＣタグ７８ａに記憶されているユニットシリアルナンバー及びユニット情報（「Ｕ−ＢＢＢ＋ユニット」）も読出してしまう。
【０１６７】
なお、ＩＣタグ７８ａには、図１６(b) を用いて説明した動作と同様にしてユニット７８のユニットシリアルナンバー：「Ｕ−ＢＢＢ」がユニット７８に固有な情報として記憶されている。また、ＩＣタグ７８ａには、ユニット情報として、ユニット名：「ＴＶアダプタＢ」及び倍率：「０．５倍」等が記憶されている。
【０１６８】
図１６(d) は、遠距離用ＩＣタグ読み取りユニット７７により読出されたユニットシリアルナンバーを基に判定を行うことによって顕微鏡システムＡにセットされたユニット以外のユニット情報を認識しない（使用しない）ようにする時の動作を示す図である。同図(d) に示したように、この時、顕微鏡システムＡは、遠距離用ＩＣタグ読み取りユニット７７により読出されたユニットシリアルナンバーと顕微鏡システムＡに登録されているユニットシリアルナンバーとが一致するか否かを判定し、一致すると判定した場合には、そのユニットシリアルナンバーとそれと共に読出されたユニット情報とを認識し、一致しないと判定した場合には、そのユニットシリアルナンバーとそれと共に読出されたユニット情報とを認識しない（使用しない）。なお、この判定を行う手段は、操作装置２３又はＰＣ３２に対応する。
【０１６９】
このように、セッティング時に、セットされたユニットのユニットシリアルナンバーを顕微鏡システムに登録しておくことによって、近隣に存在する同一の顕微鏡システムのユニットからユニット情報が読み出されてしまったとしても、それを誤って認識することはない。よって、同一の顕微鏡システムが近隣に存在する状況においても、近隣の顕微鏡システムのユニット情報を誤って認識する虞はない。
【０１７０】
なお、本例では、ユニットシリアルナンバーのみを顕微鏡システムに登録するものであったが、ユニット情報も併せて登録するようにしてもよい。
次に、実施例１にて図５(a),(b),(c) 等を用いて説明したように、複数の光学素子を有するユニットから、現在使用中の光学素子の情報のみを読み出すようにする場合の具体例を、図１７を用いて説明する。
【０１７１】
図１７は、その具体例を示す図である。なお、本例では、複数の光学素子を有するユニットを、２つのキューブを有するキューブターレット（図１に示したキューブユニット１１に対応）として説明する。
【０１７２】
図１７に示したように、キューブターレット７９は、２つのキューブ８０、８１を備えており、顕微鏡システムにセットされたときに何れかのキューブ（８０又は８１）を光路に挿入可能になっている。キューブ８０には、キューブ８０の光学素子情報（ＣＵＢＥ−Ａ）が記憶された近距離用ＩＣタグ８０ａが設けられ、キューブ８１には、キューブ８１の光学素子情報（ＣＵＢＥ−Ｂ）が記憶された近距離用ＩＣタグ８１ａが設けられている。
【０１７３】
また、キューブターレット７９は、近傍に存在する近距離用ＩＣタグのみから情報を読出すことが可能な近距離用ＩＣタグ読み取り装置８２を備えている。この近距離用ＩＣタグ読み取り装置８２は、キューブターレット７９が顕微鏡システムにセットされたときに、光路に近接する位置に配置されるように設けられ、光路中に挿入されているキューブ（使用中のキューブ）のＩＣタグのみから情報を読み取ることが可能になっている。
【０１７４】
また、キューブターレット７９は、近距離用ＩＣタグ読み取り装置８２により読み出された情報が記憶される領域とキューブターレット７９のユニット情報（ＣＵＢＥターレットＡ）が記憶された領域とを有する遠距離用ＩＣタグ７９ａが設けられている。
【０１７５】
このように構成されたキューブターレット７９が顕微鏡システムＡ（図１に示した顕微鏡システムに対応）にセットされたときに、顕微鏡システムＡが備える、比較的に遠い位置に存在する遠距離用ＩＣタグから情報を読出すことが可能な遠距離用ＩＣタグ読み取りユニット８３（送受信装置５４に対応）が、光路中に挿入されているキューブの情報を読み出す場合には、次のような動作が行われる。
【０１７６】
まず、キューブターレット７９において、近距離用ＩＣタグ読み取りユニット８２が、光路中に挿入されているキューブの近距離用ＩＣタグから光学素子情報を読み出し、これが遠距離用ＩＣタグ７９ａに記憶される。なお、本例では、光路中にキューブ８１が挿入されていたとする。よって、キューブ８１に設けれた近距離用ＩＣタグ８１ａのみから光学素子情報（ＣＵＢＥ−Ａ）が読み出され、これが遠距離用ＩＣタグ７９ａに記憶される。
【０１７７】
続いて、顕微鏡システムＡが備える遠距離用ＩＣタグ読み取りユニット８３は、遠距離用ＩＣタグ７９ａから、キューブ８１の光学素子情報（ＣＵＢＥ−Ａ）とユニット情報（ＣＵＢＥターレットＡ）を読み出し、これが顕微鏡システムに認識される。
【０１７８】
このような動作により、光路中に挿入されているキューブの情報のみを認識することができ、光路中に挿入されていないキューブ（使用中でないキューブ）の情報が誤認識されるのを防止することができる。
【０１７９】
なお、本例において、近距離用ＩＣタグ８０ａ、８１ａ及び近距離用ＩＣタグ読み取りユニット８２と、遠距離用ＩＣタグ７９ａ及び遠距離用ＩＣタグ読み取りユニット８３とは、独立したシステムであり、お互いが干渉することはない。
【０１８０】
次に、ＩＣタグに記憶された情報の応用例を幾つか説明する。
実施例１では、ＴＶアダプタレンズ２０や中間鏡筒１２といったユニットに設けられたＩＣタグに、製品名、倍率、製造シリアルナンバーといった情報が記憶され、所定のタイミングにそれを読み出し表示するようにしていたが、例えば、ＩＣタグに材質情報も記憶させておき、所定のタイミングにそれを読み出し、顕微鏡システムが備える、材質情報と廃棄方法の対応関係を示すテーブルを参照して、材質情報に応じた廃棄方法をユーザに提示（例えば表示）するようにすることも可能である。一般に、材質に応じた廃棄方法は国や地域によって異なる。そこで、顕微鏡システムを使用する国や地域に応じて、対応する材質情報と廃棄方法の関係を示すテーブルを用意しておけば、ユーザはその場所に応じた廃棄方法を容易に知ることができる。なお、このような対応テーブルは、例えば、ユニットのメーカーから供給される。また、本例では、材質情報と廃棄方法の対応テーブルとしたが、その代わりに、例えば、ユニット固有の製造シリアルナンバーと廃棄方法の対応関係を示すテーブルを用いることも可能である。この場合には、ＩＣタグに材質情報を格納する領域を確保する必要はなくなる。もちろん、ＩＣタグに直接、廃棄情報を記憶させるようにすることも可能である。或いは、ＩＣタグに記憶されている製造シリアルナンバーを読み出し、それをネットワーク（例えばインターネット）を介してユニット製造元メーカーのサーバーに送信すると共に廃棄方法を問い合わせ、そのサーバーから取得された廃棄方法をユーザに提示するようにすることも可能である。
【０１８１】
また、例えば、ＩＣタグが設けられたユニットが、ファームウェアを有するユニット、すなわちＣＰＵと当該ＣＰＵにより実行されるプログラムが記憶されたＲＯＭとを有するユニット（例えば操作装置２３が対応）である場合には、ＩＣタグにプログラムのバージョン情報も記憶させておき、所定のタイミングに読み出したバージョン情報をネットワーク（例えばインターネット）を介してプログラム製造元メーカーのサーバーに送信すると共にバージョンアップの必要性の有無を問い合わせ、その必要性が有る場合にはその旨をユーザに提示（例えば表示）するようにすることも可能である。これにより、ユーザは容易にバージョンアップの必要性を知ることができる。なお、本例では、バージョンアップの必要性を通知するものであったが、例えば、バージョンアップの必要性の有無を問い合わせた結果、その必要性が有る場合には、サーバーから必要なプログラムを自動的にダウンロードして更新するように構成することもできる。これにより、ユーザはバージョンアップに係る操作を行うことなく最新のプログラムを利用することができる。なお、この場合には、ＩＣタグに記憶されていたバージョン情報が、更新後のプログラムのバージョン情報に更新される。
【０１８２】
また、実施例３では、ランプハウス６１に設置されたＩＣタグに、ハロゲンランプの点灯に応じて更新される、ハロゲンランプの総点灯時間の情報を記憶させ、その総点灯時間の情報を基にハロゲンランプの交換時期を通知するようにしていたが、例えば、同様に、レボルバ１０や落射シャッター１７などのような駆動回数で交換時期が規定されるユニットにＩＣタグを設け、これに、ユニットの駆動に応じて更新される、ユニットの総駆動回数の情報を記憶させ、その総駆動回数の情報を基にユニットの交換時期を通知するようにすることも可能である。なお、この場合には、ユニットが駆動される毎に、総駆動回数がインクリメントされるようにＩＣタグに記憶されている総駆動回数の情報が更新される。また、所定のタイミングに読み出した総駆動回数の情報をネットワーク（例えばインターネット）を介してユニット製造元メーカーのサーバーに送信すると共にユニットの交換時期を問い合わせ、そのサーバーから取得された交換時期を通知するようにすることもできる。
【０１８３】
以上、実施例１乃至３について説明したが、各実施例においては、操作装置２３が行っていた処理を、ＰＣ３２が行うようにすることも可能である。各変形例についても同様である。
【０１８４】
また、各実施例に係る構成又は及び動作においては、他の実施例に係る構成又は及び動作を組み合わせて構成することも可能である。各変形例についても同様である。
また、実施例に係る構成又は及び動作と変形例に係る構成又は及び動作を組み合わせて構成することも可能である。
【０１８５】
以上、本発明について詳細に説明したが、本発明は上記実施形態に限定されず、本発明の要旨を逸脱しない範囲において、各種の改良及び変更を行っても良いのはもちろんである。
【図面の簡単な説明】
【０１８６】
【図１】実施例１に係る顕微鏡システムの全体構成を示す図である。
【図２】実施例１に係る顕微鏡システムの制御系の構成をより詳細に示す図である。
【図３】ＩＣタグの読出し処理に係るフローチャートである。
【図４】(a)はＩＣタグが設置されたＴＶアダプタレンズおよび中間鏡筒の概観図、(b)はＩＣタグから読み出されたＴＶアダプタレンズおよび中間鏡筒の設定情報を示す図である。
【図５】(a),(b),(c) は、ターレット形状の内部取り付け穴に複数配置された中間倍率の光学素子を備える中間鏡筒に対するＩＣタグの設置例を説明する図である。
【図６】(a),(b) は、押しレバー形状の変倍装置である中間鏡筒に対するＩＣタグの設置例を説明する図である。
【図７】送受信装置の他の設置例を示す図である。
【図８】長距離用の送受信装置を用いた場合の顕微鏡システムの概略構成を示す図である。
【図９】(a),(b),(c) は、長距離用の送受信装置を使用した場合の顕微鏡システムの動作を示すフローチャートである。
【図１０】ＩＣタグから情報を読出し撮影画像へ反映する処理に係るフローチャートである。
【図１１】(a)は電子倍率表を示す図、(b) は一般的なＣＣＤサイズを示す表である。
【図１２】撮影画像に付加された情報から同じ観察系を再現する処理に係るフローチャートである。
【図１３】実施例３に係る顕微鏡システムの一部構成を示す図である。
【図１４】ＩＣタグに対するランプ点灯時間の読出しおよび書込みを行う処理に係るフローチャートである。
【図１５】(a),(b),(c),(d) は、他の顕微鏡システムから読出された情報を認識しない（使用しない）ようにする場合の具体例を説明する図である。
【図１６】(a),(b),(c),(d) は、他の顕微鏡システムから読出された情報を認識しない（使用しない）ようにする場合の他の具体例を説明する図である。
【図１７】複数の光学素子を有するユニットから、現在使用中の光学素子の情報のみを読み出すようにする場合の具体例を説明する図である。
【符号の説明】
【０１８７】
１      透過照明用光源
２      コレクタレンズ
３      透過用フィルターユニット
４      透過視野絞り
５      透過開口絞り
６      コンデンサ光学素子ユニット
７      コンデンサトップレンズユニット
８      ステージ
９      対物レンズ
１０    レボルバ
１１    キューブユニット
１２    中間鏡筒
１３    ビームスプリッター
１４    接眼レンズ
１５    落射照明用光源
１６    落射用フィルターユニット
１７    落射シャッター
１８    落射視野絞り
１９    落射開口絞り
２０    ＴＶアダプタレンズ
２１    デジタルカメラ
２２    コンデンサ
２３    操作装置
２４    複数の専用ケーブル
２５    撮影コントロール部
２６    フレームコントロール部
２７    透過フィルターコントロール部
２８    透過視野絞コントロール部
２９    コンデンサコントロール部
３０    落射絞りコントロール部
３１    落射フィルターコントロール部
３２    ＰＣ
３３    ＩＣタグ
３４    送受信装置
３５    ケーブル
３６    ケーブル
３７    操作部
３８    ケーブル
４１    マイクロコンピュータ
４２    ＲＯＭ
４３    ＲＡＭ
４４    モータドライバ
４５    外部インターフェースコネクタ
５１    光路
５２    投光管
５３    鏡筒
５４    長距離用送受信装置
５５    書込み専用装置
５６    顕微鏡装置
６１    ランプハウス
６２    ＩＣタグ
６３    送受信装置
６４    ケーブル
７１    ユニット
７１ａ  ＩＣタグ
７２    ＩＣタグ書き込みユニット
７３    ＩＣタグ読み取りユニット
７４、７５    ユニット
７４ａ、７５ａ  ＩＣタグ
７６    近距離用ＩＣタグ読み取りユニット
７７    遠距離用ＩＣタグ読み取りユニット
７８    ユニット
７８ａ  ＩＣタグ
７９    キューブターレット
７９ａ  遠距離用ＩＣタグ
８０、８１  キューブ
８０ａ、８１ａ  近距離用ＩＣタグ
８２    近距離用ＩＣタグ読み取り装置
８３    遠距離用ＩＣタグ読み取り装置
【図１】
2007156431.tif 000003
【図２】
2007156431.tif 000004
【図３】
2007156431.tif 000005
【図４】
2007156431.tif 000006
【図５】
2007156431.tif 000007
【図６】
2007156431.tif 000008
【図７】
2007156431.tif 000009
【図８】
2007156431.tif 000010
【図９】
2007156431.tif 000011
【図１０】
2007156431.tif 000012
【図１１】
2007156431.tif 000013
【図１２】
2007156431.tif 000014
【図１３】
2007156431.tif 000015
【図１４】
2007156431.tif 000016
【図１５】
2007156431.tif 000017
【図１６】
2007156431.tif 000018
【図１７】
2007156431.tif 000019